(57)【要約】      （修正有）【課題】浮子に貫装された固定パイプに接続され、下端部側が水中に長く垂下して設けられた汲水パイプを有する汲水装置において、汲水パイプにいかなる方向の荷重が作用しても、パイプの締結部に曲げ応力が発生しないようにしたパイプ保持機構を提供する。【解決手段】固定パイプ１０３と汲水パイプ１０４との間に可撓パイプ１０８を接続すると共に該可撓パイプに自在リング１０９を嵌着し、前記固定パイプと前記自在リングとの間に一対の上部レバー１１０を配設して該上部レバーの上端部側を前記固定パイプに固着する一方下端部側を支持ピン１１２を介して前記自在リングを一方向に回動可能に支持し、前記自在リングと前記汲水パイプの上端部との間に一対の下部レバー１１３を配設して該下部レバーの下端部側を前記汲水パイプの上端部側に固定する一方上端部側を支持ピンを介して前記汲水パイプを前記一方向と交差する方向に回動可能に支持する。【選択図】      図１
2005036892.tif 000002
【特許請求の範囲】
【請求項１】
上端部側が水面に浮く浮子に貫装された固定パイプに接続され、下端部側が水中に長く垂下して設けられた汲水パイプを有し、汲水ポンプにより深水を汲み上げるように構成された汲水装置におけるパイプの保持機構であって、前記固定パイプと前記汲水パイプとの間に可撓パイプを接続すると共に該可撓パイプに自在リングを嵌着し、前記固定パイプと前記自在リングとの間に一対の上部レバーを配設して該上部レバーの上端部側を前記固定パイプに固着する一方下端部側を支持ピンを介して前記自在リングを一方向に回動可能に支持し、前記自在リングと前記汲水パイプの上端部との間に一対の下部レバーを配設して該下部レバーの下端部側を前記汲水パイプの上端部側に固定する一方上端部側を支持ピンを介して前記汲水パイプを前記一方向と交差する方向に回動可能に支持してなることを特徴とする汲水装置におけるパイプの保持機構。
【請求項２】
前記可撓パイプはゴム材で作られ、前記汲水パイプはステンレス材で作られていることを特徴とする請求項１に記載の汲水装置におけるパイプの保持機構。
【発明の詳細な説明】
【技術分野】
【０００１】
本発明はパイプの保持機構に関し、更に詳細には、上端部側が水面に浮く浮子に貫装された固定パイプに接続され、下端部側が水中に長く垂下して設けられた汲水パイプを有し、汲水ポンプにより深水を汲み上げるように構成された汲水装置におけるパイプの保持機構に関する。
【背景技術】
【０００２】
従来、汲水装置、例えば海水を真水化するための汲水装置では、図４に示すように、上端部側を海面Ｈに浮く浮子２に固定パイプ３を貫装し、この固定パイプ３の下端側に汲水パイプ４をボルト等の締結部材５を介して接続し、汲水パイプ４の下端部側を海中に長く垂下するように設けてなるパイプ保持機構１を用い、固定パイプ３側に設けた汲水ポンプ６を作動させて海水を前記汲水パイプ４及び固定パイプ３を経て海上に汲み上げ、ホース７を介して船舶等に給送するようにしている。
【発明の開示】
【発明が解決しようとする課題】
【０００３】
しかしながら、従来のこのようなパイプ保持機構１は、固定パイプ３と汲水パイプ４とを単に接続してなるものであったため、海水中に長く垂下した汲水パイプ４に波動や潮流、あるいは海流等により水平方向、すなわち横方向に荷重が加えられると、浮子２と汲水パイプ４との接続部、とくに汲水パイプ４自体の荷重がかかる締結部にはこの横方向の荷重が作用して最大モーメントが加わり、これにより汲水パイプ４に大きな応力が生じて汲水パイプ４を始めパイプ保持機構１を破損するという問題があった。
【０００４】
そこで、汲水パイプ４自体の重量を極力軽減させることが考えられるが、パイプ自体の強度面から極度に軽量化することは不可能であり、いずれにしてもこのように固定パイプ３と汲水パイプ４とを単に接続させた構造のパイプ保持機構１では本質的な問題の解消にはならなかった。なお、このような問題は、深海からの汲水の場合に限らず、湖沼等で深水を汲み上げる場合においても同様であった。
【０００５】
本発明は、上述したような実情に鑑みなされたもので、その目的とするところは、
上端側が水面に浮く浮子に貫装された固定パイプに接続され、下端側が水中に長く垂下して設けられた汲水パイプを有し、汲水ポンプにより深水を汲み上げるように構成された汲水装置におけるパイプの保持機構であって、前記汲水パイプにいかなる方向の荷重が作用してもパイプの締結部に曲げ応力が発生しないようにし、パイプ保持機構が破損することのないようにした汲水装置におけるパイプ保持機構を提供することにある。
【課題を解決するための手段】
【０００６】
本発明の上記目的は、上端部側が水面に浮く浮子に貫装された固定パイプに接続され、下端部側が水中に長く垂下して設けられた汲水パイプを有し、汲水ポンプにより深水を汲み上げるように構成された汲水装置におけるパイプの保持機構であって、前記固定パイプと前記汲水パイプとの間に可撓パイプを接続すると共に該可撓パイプに自在リングを嵌着し、前記固定パイプと前記自在リングとの間に一対の上部レバーを配設して該上部レバーの上端部側を前記固定パイプに固着する一方下端部側を支持ピンを介して前記自在リングを一方向に回動可能に支持し、前記自在リングと前記汲水パイプの上端部との間に一対の下部レバーを配設して該下部レバーの下端部側を前記汲水パイプの上端部側に固定する一方上端部側を支持ピンを介して前記汲水パイプを前記一方向と交差する方向に回動可能に支持してなることを特徴とする汲水装置におけるパイプの保持機構を提供することにより達成される。
【０００７】
また、本発明の上記目的は、前記可撓パイプはゴム材で作られ、前記汲水パイプはステンレス材で作られていることを特徴とする汲水装置におけるパイプの保持機構を提供することにより、効果的に達成される。
【発明の効果】
【０００８】
本発明に係わる汲水装置におけるパイプの保持機構では、汲水パイプの接続部にモーメント吸収機構が設けられているので、汲水パイプにいかなる方向の荷重が作用しても、この吸収機構により荷重が吸収され、汲水パイプには曲げ応力が発生することがなく、これにより汲水パイプを水中の奥深くまで垂下させても汲水パイプを始めパイプの保持機構を破損することがないので、深水を安定して汲み上げることができる。
【発明を実施するための最良の形態】
【０００９】
図１は、本発明の一実施例である汲水装置におけるパイプ保持機構の正面図で右半分を断面図で示したもの、図２はその平面図、図３はその側面図である。なお、以下では、図４に基き前述した従来のパイプ保持機構１と対応する構成部品には１００番台の同一符号を付して説明する。
【００１０】
本パイプ保持機構１０１は、上端部１０４ａ側が水面Ｈに浮く浮子１０２に貫装された固定パイプ１０３の下端部１０３ｂ側に接続され、図示しない下端部側が水中に長く垂下して設けられた汲水パイプ１０４を有し、固定パイプ１０３内に設けられた２台の汲水ポンプ１０６、１０６により深水を汲み上げるように構成された汲水装置におけるパイプの保持機構であって、前記固定パイプ１０３の下端部１０３ｂと前記汲水パイプ１０４の上端部１０４ａとの間にはゴム製の可撓パイプ１０８が接続されており、この可撓パイプ１０８の略中間位置には自在リング１０９が嵌着、固定されている。また、固定パイプ１０３と自在リング１０９との間には一対の上部レバー１１０、１１０が配設されており、この上部レバー１１０の上端部１１０ａはネジ１１１により固定パイプ１０３の下端部１０３ｂに固定され、下端部１１０ｂでは一対の支持ピン１１２、１１２を介して自在リング１０９を支持している。自在リング１０９はこの支持ピン１１２、１１２を支軸として図３に点線で示す矢印Ｙ方向に回動できるようになっている。さらにまた、自在リング１０９と汲水パイプ１０４の上端部１０４ａとの間には一対の下部レバー１１３、１１３が配設され、この下部レバー１１３の下端部１１３ｂは汲水パイプ１０４の上端部１０４ａにネジ１１４で固定され、上端部１１３ａでは一対の支持ピン１１５、１１５を介して自在リング１０９を支持している。汲水パイプ１０４はこの支持ピン１１５、１１５を支軸として図１に点線で示す矢印Ｘ方向（前記矢印Ｙ方向と交差する方向）に可撓パイプ１０８と共に回動できるようになっている。
【００１１】
浮子１０２は、例えば厚みが１０数ｍｍの金属板１１６により直径が6ｍ、高さが２ｍ程度の大きさを有する中空円盤状に形成され、補強のため内部にリブ１１６ｒが設けられている。固定パイプ１０３は直径が１ｍ程度の金属製のパイプで、浮子１０２の中心部に明けられた開口内に貫装され、図示するように浮子１０２をボス１１８及びネジ１０５により固定支持している。また、固定パイプ１０３の上方開口部はネジ１１９及び蓋体１２０により閉鎖され、中空内部には２台の汲水ポンプ１０６、１０６が配設されている。本汲水装置ではこの汲水ポンプ１０６を交互に作動させて海水を汲み上げるようになっており、汲み上げられた海水は蓋体１２０に貫装された給水管１２１及びこれに連設されたホース１２２を介して船舶等に送られて貯留される。
【００１２】
可撓パイプ１０８はゴム、あるいはプラスチック等の可撓性を有する材料で作られ、軸方向の全ての方向に曲げられるようになっている。また、汲水パイプ１０４は肉厚の薄いステンレス等の金属パイプで作られている。
【００１３】
以上のとおり、本パイプ保持機構１０１では可撓パイプ１０８に嵌着された自在リング１０９が平面に対し自在な立体角を保つことができるようになっているので、海中において汲水パイプ１０４にいかなる方向の荷重が作用しても、汲水パイプ１０４は、図１及び図３に示すように、浮子１０２の重心Ｇに対し重心Ｇ１、Ｇ２のように動くことができる。従って、汲水パイプ１０４はどのような場合でも、上端部１０４ａ側に曲げ応力を生じることがない。なお、汲水パイプ１０４には引張り荷重が作用するが、この引張り荷重は、一対の下部レバー１１３、１１３、自在リング１０９、一対の上部レバー１１０を介して浮子１０２に加えられる。このとき、浮子１０２と
汲水パイプ１０４との間は柔軟な可撓パイプ１０８で接続されているが、上記構成によりこの可撓パイプ１０８には引張り荷重が全く加えられないので、可撓パイプ１０８を破損する心配はない。
【００１４】
このように、本発明に係わる汲水装置におけるパイプ保持機構１０１では、汲水パイプ１０４の接続部にモーメント吸収機構が設けられているので、汲水パイプ１０４にいかなる方向の荷重が作用しても、この吸収機構により荷重が吸収され、汲水パイプには曲げ応力が発生することがなく、これにより汲水パイプ１０４を水中の奥深くまで垂下させても、この汲水パイプ１０４を始めパイプの保持機構を破損することがないので、深水を安定して汲み上げることができる。
【産業上の利用可能性】
【００１５】
本発明は海水の汲み上げに限らず、湖沼の水、あるいは井戸水等の汲み上げにも適用することができる。
【図面の簡単な説明】
【００１６】
【図１】本発明の一実施例であるパイプ保持機構の正面図で、右半分を断面図で示したものである。
【図２】図１の平面図である。
【図３】図１の側面図である。
【図４】従来のパイプ保持機構の正面図で、右半分を断面図で示したものである。
【符号の説明】
【００１７】
１、１０１                  パイプ保持機構
２、１０２                  浮子
３、１０３                  固定パイプ
４、１０４                  汲水パイプ
６、１０６                  汲水ポンプ
１０８                      可撓パイプ
１０９                      自在リング
１１０                      上部レバー
１１２                      支持ピン
１１３                      下部レバー
１１５                      支持ピン
【図１】
2005036892.tif 000003
【図２】
2005036892.tif 000004
【図３】
2005036892.tif 000005
【図４】
2005036892.tif 000006